(57)【要約】【課題】通信相手に関する情報をその通信相手とのコミュニケーションに寄与させることが可能な技術を提供する。【解決手段】外部の端末と通信を行う移動通信端末は、その端末を用いて通信を行う通信相手を識別する内容でない報知情報であって、通信相手に関する内容を文字で表した文字情報として、例えば「パーティーの買出し  あと３日」や「７月飲み会プラン  あと１３日」、「△△カードチャージ」等を表す文字情報を含む報知情報を記憶している。この報知情報には、その文字情報が特定の通信相手（ここでは、「山田一郎」）に関する情報であることを示す識別情報が含まれている。移動通信端末は、自端末が記憶する報知情報に、自端末が通信する、又は通信した端末を用いる通信相手を識別する識別情報が含まれる場合には、その報知情報に応じた内容を報知して、ユーザに知らせる。【選択図】図７
2011082607.tif 000002
【特許請求の範囲】
【請求項１】
外部の端末と通信を行う通信手段と、
前記端末を用いて通信を行う通信相手を識別する内容でない文字情報であって、当該通信相手に関する内容を文字で表した文字情報を少なくとも含む報知情報を記憶する報知情報記憶手段と、
前記報知情報記憶手段に記憶された報知情報に、前記通信手段が通信を行う端末を用いる通信相手を識別する識別情報が含まれる報知情報がある場合に、当該報知情報に応じた内容を報知する報知手段と
を備えることを特徴とする情報処理装置。
【請求項２】
前記端末を用いる通信相手に対して割り当てられた文字列と、当該端末を識別する識別情報とを対応付けて記憶する端末情報記憶手段を備え、
前記報知手段は、前記通信手段が通信を行う端末を識別し、識別した端末の識別情報に対応付けて前記端末情報記憶手段に記憶されている文字列を特定し、前記報知情報記憶手段に前記特定した文字列を前記識別情報として含む報知情報がある場合に、当該報知情報に応じた内容を報知する
ことを特徴とする請求項１に記載の情報処理装置。
【請求項３】
前記報知手段は、前記通信手段により前記端末と通信が行われているときに、前記報知情報に応じた内容と、当該端末を用いる通信相手に対して割り当てられた前記文字列に対応付けて前記端末情報記憶手段に記憶された識別情報に応じた内容とを報知する
ことを特徴とする請求項２に記載の情報処理装置。
【請求項４】
前記通信手段によって受信された情報又は前記通信手段によって送信される情報から、前記端末情報記憶手段に記憶されている文字列を抽出する抽出手段を備え、
前記報知手段は、前記抽出手段により抽出された文字列を含む報知情報に応じた内容を報知する
ことを特徴とする請求項２又は３に記載の情報処理装置。
【請求項５】
前記通信手段は、音声通信を行い、
前記報知手段は、前記通信手段によって呼び出される端末が特定されてから、当該端末との音声通信が終了するまでの期間中のいずれかの時点において、前記報知情報に応じた内容を報知し、また、前記端末により呼び出されたときから、当該端末との音声通信が終了するまでの期間中のいずれかの時点において、前記報知情報に応じた内容を報知する
ことを特徴とする請求項１ないし４のいずれかに記載の情報処理装置。
【請求項６】
前記通信手段は、データ通信を行い、
前記報知手段は、前記通信手段によりデータが送信される場合、通信相手の端末が特定されてから前記報知情報に応じた内容を報知し、また、前記通信手段により通信相手の前記端末からのデータが受信された場合、その受信の後に前記報知情報に応じた内容を報知する
ことを特徴とする請求項１ないし５のいずれかに記載の情報処理装置。
【請求項７】
前記報知情報記憶手段は、前記報知情報が有効である期間を表す期間情報を記憶し、
前記報知手段は、前記期間情報に応じた報知の態様で前記報知情報に応じた内容を報知する
ことを特徴とする請求項１ないし６のいずれかに記載の情報処理装置。
【請求項８】
画像を表示する表示手段と、
ユーザにより操作される操作手段と、
前記表示手段に前記識別情報及び前記文字情報の入力を受け付ける画面を表示させ、ユーザによる前記操作手段の操作に応じて受け付けた報知情報であって前記識別情報と前記文字情報とを含む報知情報を、前記報知情報記憶手段に記憶させる記憶制御手段と
を備えることを特徴とする請求項１ないし７のいずれかに記載の情報処理装置。
【請求項９】
外部の端末と通信を行う通信手段と、
前記端末を用いて通信を行う通信相手を識別する内容でない文字情報であって、当該通信相手に関する内容を文字で表した文字情報を少なくとも含む報知情報を記憶する報知情報記憶手段を備えるコンピュータに、
前記報知情報記憶手段に記憶された報知情報に、前記通信手段が通信を行う端末を用いる通信相手を識別する識別情報が含まれる報知情報がある場合に、当該報知情報に応じた内容を報知する報知ステップ
を実行させるためのプログラム。
【発明の詳細な説明】
【技術分野】
【０００１】
本発明は、通信相手に関する情報を報知する技術に関する。
【背景技術】
【０００２】
外部の端末から音声通信の呼び出しがあった場合に、その端末の電話番号や発信者の名称を表示したり、また、電子メールを送受信する際に、送信先の電子メールアドレスや名称を表示したりする技術がある。特許文献１には、携帯電話端末に着信があったときに発信元の電話番号をテレビに表示する受信用端末装置に関して、誰宛ての着信であるかを示す情報を表示する技術が開示されている。
【先行技術文献】
【特許文献】
【０００３】
【特許文献１】特開２００６−２１７４９９号公報
【発明の概要】
【発明が解決しようとする課題】
【０００４】
ところで、通信相手が誰であるかをユーザに知らせるための情報ではなく、通信相手に関する別の情報を報知するようにすれば、ユーザはその情報を見ることで、通信相手とその情報の内容に関するコミュニケーションを取りやすくなることが期待できる。
そこで、本発明の目的は、通信相手に関する情報をその通信相手とのコミュニケーションに寄与させることが可能な技術を提供することにある。
【課題を解決するための手段】
【０００５】
上述した課題を解決するため、本発明の請求項１に係る情報処理装置は、外部の端末と通信を行う通信手段と、前記端末を用いて通信を行う通信相手を識別する内容でない文字情報であって、当該通信相手に関する内容を文字で表した文字情報を少なくとも含む報知情報を記憶する報知情報記憶手段と、前記報知情報記憶手段に記憶された報知情報に、前記通信手段が通信を行う端末を用いる通信相手を識別する識別情報が含まれる報知情報がある場合に、当該報知情報に応じた内容を報知する報知手段とを備えることを特徴とする。
【０００６】
本発明の請求項２に係る情報処理装置は、請求項１の構成において、前記端末を用いる通信相手に対して割り当てられた文字列と、当該端末を識別する識別情報とを対応付けて記憶する端末情報記憶手段を備え、前記報知手段は、前記通信手段が通信を行う端末を識別し、識別した端末の識別情報に対応付けて前記端末情報記憶手段に記憶されている文字列を特定し、前記報知情報記憶手段に前記特定した文字列を前記識別情報として含む報知情報がある場合に、当該報知情報に応じた内容を報知することを特徴とする。
【０００７】
本発明の請求項３に係る情報処理装置は、請求項２の構成において、前記報知手段は、前記通信手段により前記端末と通信が行われているときに、前記報知情報に応じた内容と、当該端末を用いる通信相手に対して割り当てられた前記文字列に対応付けて前記端末情報記憶手段に記憶された識別情報に応じた内容とを報知することを特徴とする。
本発明の請求項４に係る情報処理装置は、請求項２又は３の構成において、前記通信手段によって受信された情報又は前記通信手段によって送信される情報から、前記端末情報記憶手段に記憶されている文字列を抽出する抽出手段を備え、前記報知手段は、前記抽出手段により抽出された文字列を含む報知情報に応じた内容を報知することを特徴とする。
【０００８】
本発明の請求項５に係る情報処理装置は、請求項１ないし４のいずれかの構成において、前記通信手段は、音声通信を行い、前記報知手段は、前記通信手段によって呼び出される端末が特定されてから、当該端末との音声通信が終了するまでの期間中のいずれかの時点において、前記報知情報に応じた内容を報知し、また、前記端末により呼び出されたときから、当該端末との音声通信が終了するまでの期間中のいずれかの時点において、前記報知情報に応じた内容を報知することを特徴とする。
【０００９】
本発明の請求項６に係る情報処理装置は、請求項１ないし５のいずれかの構成において、前記通信手段は、データ通信を行い、前記報知手段は、前記通信手段によりデータが送信される場合、通信相手の端末が特定されてから前記報知情報に応じた内容を報知し、また、前記通信手段により通信相手の前記端末からのデータが受信された場合、その受信の後に前記報知情報に応じた内容を報知することを特徴とする。
本発明の請求項７に係る情報処理装置は、請求項１ないし６のいずれかの構成において、前記報知情報記憶手段は、前記報知情報が有効である期間を表す期間情報を記憶し、前記報知手段は、前記期間情報に応じた報知の態様で前記報知情報に応じた内容を報知することを特徴とする。
本発明の請求項８に係る情報処理装置は、請求項１ないし７のいずれかの構成において、画像を表示する表示手段と、ユーザにより操作される操作手段と、前記表示手段に前記識別情報及び前記文字情報の入力を受け付ける画面を表示させ、ユーザによる前記操作手段の操作に応じて受け付けた報知情報であって前記識別情報と前記文字情報とを含む報知情報を、前記報知情報記憶手段に記憶させる記憶制御手段とを備えることを特徴とする。
【００１０】
本発明の請求項９に係るプログラムは、外部の端末と通信を行う通信手段と、前記端末を用いて通信を行う通信相手を識別する内容でない文字情報であって、当該通信相手に関する内容を文字で表した文字情報を少なくとも含む報知情報を記憶する報知情報記憶手段とを備えるコンピュータに、前記報知情報記憶手段に記憶された報知情報に、前記通信手段が通信を行う端末を用いる通信相手を識別する識別情報が含まれる報知情報がある場合に、当該報知情報に応じた内容を報知する報知ステップを実行させる。
【発明の効果】
【００１１】
本発明によれば、通信相手に関する情報をその通信相手とのコミュニケーションに寄与させることができる。
【図面の簡単な説明】
【００１２】
【図１】通信端末装置のハードウェア構成を示すブロック図。
【図２】アドレス帳データの一例を示した図。
【図３】ＴＯＤＯリストデータの一例を示した図。
【図４】新規登録画面の一例を示す図。
【図５】確認画面の一例を示す図。
【図６】音声通信におけるＴＯＤＯデータの表示処理の手順を示すフローチャート。
【図７】通話画面の一例を示す図。
【図８】音声通信におけるＴＯＤＯデータの表示処理の手順を示すフローチャート。
【図９】通話画面の一例を示す図である。
【図１０】データ通信におけるＴＯＤＯデータの表示処理の手順を示すフローチャート。
【図１１】送信画面の一例を示す図。
【図１２】データ通信におけるＴＯＤＯデータの表示処理の手順を示すフローチャート。
【図１３】受信画面の一例を示す図。
【発明を実施するための形態】
【００１３】
［Ａ：実施形態の構成］
図１は、本発明の一実施形態である移動通信端末のハードウェア構成を示すブロック図である。図１に示すように、移動通信端末１０は、情報処理装置の一例であり、制御部１１と、無線通信部１２と、表示部１３と、操作部１４と、音声入出力部１５とを備える。この実施形態では、移動通信端末１０は携帯電話機である。
【００１４】
制御部１１は、ＣＰＵ（Central Processing Unit）１１ａ、ＲＯＭ（Read Only Memory）１１ｂ、ＲＡＭ（Random Access Memory）１１ｃ及びＥＥＰＲＯＭ（Electronically Erasable and Programmable ROM）１１ｄを備えている。ＣＰＵ１１ａは、ＲＡＭ１１ｃをワークエリアとして用いてＲＯＭ１１ｂやＥＥＰＲＯＭ１１ｄに記憶されたプログラムを実行して、移動通信端末１０の各部の動作を制御する。ＲＡＭ１１ｃは、ＣＰＵ１１ａがプログラムを実行するときにそのプログラムに割り当てられるメモリとして機能する。無線通信部１２は、アンテナ１２ａを介して無線基地局との間で無線通信を行い、音声通信やデータ通信を行う。制御部１１及び無線通信部１２は、移動通信端末１０において外部の端末と行う通信手段として機能する。表示部１３は、制御部１１の制御の下で液晶駆動回路が液晶駆動を行うことにより、液晶ディスプレイに画像を表示する表示手段である。操作部１４は、いわゆるテンキーやオンフックキー、オフフックキーなどの複数の操作子を備える操作手段であり、ユーザによる操作子の押下操作を受け付けて、その操作に応じた操作情報を制御部１１に出力する。音声入出力部１５は、受話音声を収音するマイクや送話音声を放音するスピーカを備える、音声を入出力する手段である。
【００１５】
移動通信端末１０において音声通信が行われるときには、無線通信部１２は、移動通信網の基地局から送信されてくる音声無線信号をアンテナ１２ａによって受信し、無線通信回路によってこれを復調するなどの処理を実行する。音声入出力部１５は、無線通信部１２の処理により得られた音声データをデジタル形式からアナログ形式の受話信号に変換してスピーカへ出力し、受話音声を放音させる。また、音声入出力部１５は、送話音声がマイクにより収音されてアナログ形式の送話信号に変換されると、これをデジタル形式の音声データに変換して無線通信部１２に出力する。無線通信部１２は、無線通信回路によってこれを変調するなどの処理を実行し、アンテナ１２ａを介して音声無線信号として送信する。移動通信端末１０においてデータ通信が行われるときには、無線通信部１２は、基地局から送信されたデータ無線信号をアンテナ１２ａによって受信すると、無線通信回路によってこれを復調して制御部１１に供給する。また、無線通信部１２は、制御部１１から供給されるデータを変調して、アンテナ１２ａからデータ無線信号として基地局に送信する。
【００１６】
ＥＥＰＲＯＭ１１ｄは、アドレス帳データ１１１及びＴＯＤＯリストデータ１１２を記憶する。
図２は、アドレス帳データ１１１の一例を示す図である。アドレス帳データ１１１は、通信相手が用いる端末の連絡先に関する情報を管理する、いわゆるアドレス帳機能を実現するためのデータである。
図２に示すように、アドレス帳データ１１１においては、通信相手の名称を表す「名称」と、通信相手の端末に割り当てられた電話番号を表す「電話番号」と、その端末に割り当てられた電子メールアドレスを表す「メールアドレス」とが対応付けて記述されている。これらのうち、「電話番号」及び「メールアドレス」のフィールドに記述される情報は、それぞれ、通信相手が利用する端末を識別する識別情報として機能する。「名称」のフィールドに記述される情報は、ＪＩＳコードなどの文字コードを用いて記述されている。この情報は、移動通信端末１０のユーザによって、自端末が通信する端末を用いる通信相手に対して割り当てられた文字列を表す。この「名称」のフィールドに記述され得る通信相手の名称には、例えば、個人の氏名のほか、会社や店舗などの法人の名称や、グループ、団体などの集団の名称がある。
以上のデータ構造を有しているアドレス帳データ１１１を記憶するＥＥＰＲＯＭ１１ｄは、端末情報記憶手段の一例である。なお、アドレス帳データ１１１に書き込まれる情報は一例であり、さらに別の情報が記述されてもよい。
【００１７】
図３は、ＴＯＤＯリストデータ１１２の一例を示す図である。ＴＯＤＯリストデータ１１２は、移動通信端末１０を利用するユーザがするべきこと（行為）を管理しておく機能（いわゆる、ＴＯＤＯ機能）を実現するためのデータである。
図３に示すように、ＴＯＤＯリストデータ１１２においては、登録された各行為を表す情報（以下、「ＴＯＤＯデータ」という。）を識別する「ＩＤ」が、それぞれ割り当てられている。ＴＯＤＯデータは、行為のタイトル（例えば、要約）を表す「タイトル」と、行為の詳細な内容を表す「詳細」と、行為の設定の有無を表す「設定」と、行為の実行の状態を表す「状態」と、行為を行う期限を表す「期限」と、「通信時に表示」という各情報とを対応付けた情報を含む。
【００１８】
ＴＯＤＯリストデータ１１２において、「タイトル」、「詳細」及び「期限」のフィールドに記述される各情報は、情報の内容の報知を目的とした報知情報として機能する。より具体的には、報知情報は、通信相手を識別する内容でない情報であり、通信相手に関する内容を文字で表した情報である。このように、報知情報は、通信相手を識別することを目的に用いられる識別情報とは別のまとまりの情報として扱われ、移動通信端末１０が通信相手を識別するという用途では用いない情報である。
【００１９】
ＴＯＤＯリストデータ１１２において、「設定」のフィールドには、ユーザが行うべき行為として設定することを意味する「設定あり」か、又はユーザが行うべき行為として設定しないことを意味する「設定なし」のいずれかが記述される。「状態」のフィールドには、ユーザが行為を完了していないことを意味する「未完了」や、その行為を既に完了したことを意味する「完了」などの情報が記述される。「期限」のフィールドには、ＴＯＤＯデータの期間情報が記述されている。この期間情報は、ＴＯＤＯデータが有効である期間を意味する有効期間を表す。
【００２０】
ＴＯＤＯリストデータ１１２において、「通信時に表示」のフィールドには、通信相手となり得る相手の名称が記述される。この実施形態では、アドレス帳データ１１１の「名称」のフィールドに記述された情報のいずれかが記述される。詳しくは後述するが、この情報は、どの通信相手の端末と通信を行ったときに、ＴＯＤＯデータの内容を表示するかを指定するための情報である。「通信時に表示」のフィールドに記述される情報は、アドレス帳データ１１１の「名称」と同じ文字コードを用いて記述される。
なお、図３に示すＩＤ「Ａ１０４」に対応するＴＯＤＯデータについては、通信相手の名称でなく「（表示あり）」と記述されている。これは、どの通信相手の端末と通信を行うときにも、そのＴＯＤＯデータの内容を表示することを指定するものである。一方、「（表示なし）」と記述される場合は、どの通信相手の端末と通信を行うときにもその内容を表示しないことを指定するものである。
以上のデータ構造を有しているＴＯＤＯリストデータ１１２を記憶するＥＥＰＲＯＭ１１ｄは、報知情報記憶手段の一例である。
【００２１】
［Ｂ：実施形態の動作］
次に、移動通信端末１０の動作について説明する。
［Ｂ−１：ＴＯＤＯリストデータの新規登録処理］
まず、ＴＯＤＯデータの新規登録処理について説明する。
新たにＴＯＤＯデータを登録する場合、ユーザは、操作部１４を操作してその旨を指示する。新規登録処理が指示されると、制御部１１は、ＴＯＤＯデータの入力を受け付けるための新規登録画面を表示部１３に表示させる。図４は、新規登録画面の一例を示す図である。図４には、ＩＤ「Ａ１０１」のＴＯＤＯデータの内容が入力されたときの新規登録画面Ｐｒを示す。
【００２２】
新規登録画面Ｐｒの「タイトル」というテキストボックスｔ１には、「パーティーの買出し」と入力され、「詳細情報」というテキストボックスｔ２に「７月１２日の日曜日に、○○デパートにパーティー用のプレゼントを買いに行く！」と入力されている。「期限」というテキストボックスｔ３には、「２００９／０７／１１」、「１４：００」と入力されている。また、「ＴＯＤＯ」と示された表示領域の下側には、「設定」というプルダウンメニューｄ１が配置されている。プルダウンメニューｄ１を用いて、「設定あり」又は「設定なし」のどちらか（ここでは、「設定あり」）が選択され、選択された内容が表示される。その下側には、「状態」というプルダウンメニューｄ２が配置され、「完了」や「未完了」などのいずれか（ここでは、「未完了」）が選択されて、選択された内容が表示される。さらに下側には、「この人との連絡時に表示」というメッセージに関連付けて、その左側にチェックボックスｃｋが設けられている。チェックボックスｃｋにチェックが入力されたことを条件として、新規登録画面Ｐｒにはテキストボックスｔ４〜ｔ６は表示される。ここでは、テキストボックスｔ４には「山田一郎」と入力され、テキストボックスｔ５には「鈴木三郎」と入力され、テキストボックスｔ６には何も入力されていない。移動通信端末１０においては、これらのテキストボックスには、アドレス帳機能を利用して通信相手の名称が入力される。この入力に際して、操作部１４を操作してユーザがテキストボックスｔ４〜ｔ６のいずれかを選択すると、アドレス帳データ１１１の内容（例えば、「名称」の内容）が一覧表示される。そして、ユーザが操作部１４を用いていずれかの名称を選択すると、その名称がテキストボックスｔ４〜ｔ６に入力される。なお、これらのテキストボックスは、例えば、テキストボックスに入力があるたびに１つずつ増えるよう構成されており、その数の上限はいくつであってもよい。
【００２３】
上述の手順でＴＯＤＯデータの入力を終えると、ユーザは、操作部１４を操作して、新規登録画面Ｐｒに配置された登録ボタンｂを押す。登録ボタンｂが押されると、制御部１１は、新規登録画面Ｐｒにおいて入力されたＴＯＤＯデータを新規登録するために、ＩＤを割り当てて、その内容をＴＯＤＯリストデータ１１２に追加して記述する。このとき、制御部１１は、テキストボックスｔ４〜ｔ６に入力された通信相手の名称を、ＴＯＤＯリストデータ１１２の「通信時に表示」のフィールドに書き込む。また、制御部１１は、チェックボックスｃｋにチェックが入力され、且つテキストボックスｔ４〜ｔ６に何も入力されないときは、「通信時に表示」のフィールドに「（表示あり）」と記述する。一方、チェックボックスｃｋにチェックが入力されないときには、制御部１１は、同フィールドに「（表示なし）」と記述する。
以上の制御を行う制御部１１は、記憶制御手段として機能する。
【００２４】
また、移動通信端末１０は、ＴＯＤＯリストデータ１１２に登録されたＴＯＤＯデータの内容を表示する機能を有している。図５は、ＴＯＤＯデータの内容が表示される確認画面の一例を示す図である。図５は、ＩＤ「Ａ１０１」のＴＯＤＯデータの内容が表示されたときの確認画面Ｐｃを表す。確認画面Ｐｃには、ＴＯＤＯリストデータ１１２に記述されたＴＯＤＯデータの内容が、そのＩＤごとに一画面に表示される。「あと３日」という表示は、現在日時（ここでは、2009/7/8とする。以下同じ。）から「期限」のフィールドに記述された有効期限までの残り期間を表す。また、「完了日」については、確認画面Ｐｃを介してユーザがその予定の実行を完了した日付であって、ユーザ自身が入力した日付が表示される。
なお、この確認画面において、絵文字やアイコン、文字を多色にしたり、フォントをユーザの好みに合わせて装飾したりして表示されるような構成が移動通信端末１０に採られていてもよい。この構成の場合、例えば、移動通信端末１０は、新規登録処理においてユーザにそれらの内容を指定させる。また、ユーザは、確認画面などを介してＴＯＤＯデータの内容をいつでも編集することができる。
【００２５】
［Ｂ−２：ＴＯＤＯデータの表示処理］
次に、移動通信端末１０が通信を行うときに実行するＴＯＤＯデータの表示処理について説明する。
［Ｂ−２−１：音声通信時（発信時）の表示処理］
図６は、音声通信において外部端末を呼び出すとき（発信時）に、移動通信端末１０が実行する表示処理の手順を示すフローチャートである。
まず、移動通信端末１０のユーザは、音声通信の開始を指示するときに、操作部１４を操作してアドレス帳機能の実行を指示する。制御部１１は、この操作を契機としてＥＥＰＲＯＭ１１ｄからアドレス帳データ１１１を読み出してその内容を表示し、ユーザに通信相手を選択させる。ユーザにより通信相手が選択されて、制御部１１が通信相手を指定する操作を受け付けると（ステップＳＡ１）、それに応じて通信相手の端末を特定する（ステップＳＡ２）。ここでは、ユーザが通信相手として「山田一郎」を選択する操作を行ったとする。この場合、制御部１１は、名称のフィールドに記述された「山田一郎」をアドレス帳データ１１１から特定して、通信相手の端末を識別する。
【００２６】
次に、制御部１１は、ステップＳＡ２で特定した通信相手の端末に応じて、ＴＯＤＯリストデータ１１２に記述されたＴＯＤＯデータを特定する（ステップＳＡ３）。ここでは、制御部１１は、ステップＳＡ２で「山田一郎」を特定したから、ＴＯＤＯリストデータ１１２の「通信時に表示」のフィールドに、「山田一郎」と記述されたＴＯＤＯデータを検索する。この検索において、制御部１１は、アドレス帳データ１１１の「名称」のフィールドに記述された文字コードが「通信時に表示」のフィールドに記述されているＩＤを、ＴＯＤＯリストデータ１１２の中から特定する。この検索により、ここでは、制御部１１は、予定ＩＤ「Ａ１０１」及び「Ａ１０３」を特定する。さらに、制御部１１は、「通信時に表示」のフィールドに「（表示あり）」と記述された予定ＩＤ「Ａ１０４」も併せて特定する。なお、「通信時に表示」のフィールドに「（表示あり）」と記述された予定ＩＤの特定については、以下に説明する表示処理すべてについて共通するものであり、その説明を省略する。
【００２７】
そして、制御部１１は、音声通信を開始する（ステップＳＡ４）。ここでは、制御部１１は、ステップＳＡ２で特定した通信相手の端末の電話番号を含む信号を無線通信部１２によって送信し、その端末の呼び出しを指示する。そして、制御部１１は、表示部１３が表示する画像を、通話用の画像である通話画面に変更する処理を実行する。制御部１１は、通話画面に、ステップＳＡ３で特定したＴＯＤＯデータに応じた内容を報知するための画像（以下、「報知画像」という。）を配置して、表示部１３に表示させる（ステップＳＡ５）。すなわち、制御部１１は報知手段として機能する。
【００２８】
図７は、ステップＳＡ５の処理によって表示部１３に表示される通話画面の一例を示す図である。図７（ａ）は、通信相手の端末の呼び出し中に表示される通話画面Ｐｔ１である。図７（ｂ）は、通信相手が呼び出しに応答して、通話が開始されて音声通信中に表示される通話画面Ｐｔ２である。
図７（ａ）に示すように、呼び出し中（発信中）においては、通話画面Ｐｔ１に「発信中」というメッセージ、通信相手の名称、及びその通信相手が用いる端末の電話番号が表示される。さらに、通話画面Ｐｔ１における下側の領域には、通信相手である「山田一郎」に関するＴＯＤＯデータの内容を表した報知画像Ｉ１〜Ｉ３が表示される。報知画像Ｉ１には、「パーティーの買出し  あと３日」というメッセージが付されている。このうち“パーティーの買出し”というメッセージは、予定ＩＤ「Ａ１０１」の「タイトル」のフィールドに記述された情報を表す。“あと３日”というメッセージは、予定ＩＤ「Ａ１０１」の「期限」のフィールドの記述に基づいており、現在日時から行為の期限までの残り期間を表す。同様に、報知画像Ｉ２には、予定ＩＤ「Ａ１０３」に関するＴＯＤＯデータの内容が示されている。報知画像Ｉ３には、予定ＩＤ「Ａ１０４」に関するＴＯＤＯデータの内容が示されている。
以上のようにして、制御部１１は、無線通信部１２により通信が行われているときに、ＴＯＤＯデータの「タイトル」、「詳細」及び「期限」に応じた内容と、アドレス帳データ１１１に記憶された「名称」及び「電話番号」に応じた内容とを報知する。
【００２９】
また、移動通信端末１０は、通話画面Ｐｔ１，Ｐｔ２を表示させているときには、ユーザによる操作部１４の操作により、報知画像Ｉ１〜Ｉ３を選択可能にしている。ここで、ユーザは操作部１４を操作してカーソルｃを移動させ、報知画像Ｉ１を選択する操作を行ったとする。ここでは、制御部１１は、選択された報知画像Ｉ１に対応するＴＯＤＯデータについてより詳細な内容を表示するために、図５に示した確認画面Ｐｃを表示部１３に表示させる。つまり、制御部１１は、報知画像が選択されると、その報知画像に応じて確認画面を表示する。
また、図７（ｂ）に示すように、音声通信中の通話画面Ｐｔ２においても、「通話中」というメッセージとともに、通信相手の名称と電話番号とが表示される。そして、その下側の領域には、図７（ａ）に示したものと同様に、報知画像Ｉ１〜Ｉ３が表示されている。また、制御部１１は、カーソルｃにより報知画像が指定されると、指定された報知画像に対応する確認画面を表示する。
【００３０】
そして、制御部１１は、ユーザにより操作部１４のオンフックキーが押下されたり、通信相手の端末のオンフックキーが押されるなどして、音声通信の終了が指示されると、それを契機として音声通信を終了する。音声通信を終了するときに、制御部１１は通話画面Ｐｔ２の表示を終了する。
【００３１】
［Ｂ−２−２：音声通信時（着信時）の表示処理］
図８は、音声通信において外部端末からの呼び出しがあったとき（着信時）に、移動通信端末１０が実行する表示処理の手順を示すフローチャートである。なお、以下の説明において、［Ｂ−２−１：音声通信時（発信時）の表示処理］の項で説明した表示処理と共通する内容については、その説明を適宜省略する。
制御部１１は、外部端末から音声通信の呼び出し（着信）があるまで待機し（ステップＳＢ１；ＮＯ）、無線通信部１２によってその呼び出しを受け付けたと判断すると（ステップＳＢ１；ＹＥＳ）、通信相手の端末を特定する（ステップＳＢ２）。ステップＳＢ１の着信とともに、制御部１１が発信元の電話番号を受信した場合には、受信した電話番号と一致するものをアドレス帳データ１１１から検索する。該当する電話番号がアドレス帳データ１１１に登録されていれば、制御部１１は、その電話番号に対応付けられた通信相手を特定し、通信を行う端末を識別する。ここでは、制御部１１は、「田中二郎」の端末を識別してこれを特定したとする。
【００３２】
次に、制御部１１は、ステップＳＢ２で特定した通信相手の端末に応じて、ＴＯＤＯリストデータ１１２に記述されたＴＯＤＯデータを特定する（ステップＳＢ３）。制御部１１は、ステップＳＢ２で「田中二郎」の端末を特定したから、ＴＯＤＯリストデータ１１２において、「通信時に表示」のフィールドに「田中二郎」と記述されたＩＤを特定する。つまり、ここでは、制御部１１はＩＤ「Ａ１０２」を特定する。そして、制御部１１は、ユーザによりオフフックキーが押下されたことを契機として音声通信を開始する（ステップＳＢ４）。そして、制御部１１は音声通信の開始を契機として、通話画面に、ステップＳＢ３で特定したＴＯＤＯデータの内容を表す報知画像を配置して、表示部１３に表示させる（ステップＳＢ５）。
【００３３】
図９は、ステップＳＢ５の処理によって表示部１３の表示される通話画面を示す図である。図９（ａ）は、通信相手の端末からの呼び出し中に表示される通話画面Ｐｔ３である。図９（ｂ）は、音声通信中に表示される通話画面Ｐｔ４である。
図９（ａ）に示すように、通話画面Ｐｔ３には「着信」というメッセージ、通信相手の名称、及びその通信相手が用いる端末の電話番号が表示される。さらに、通話画面Ｐｔ３における下側の領域には、通信相手である「田中二郎」に関するＴＯＤＯデータの内容を表す報知画像Ｉ４，Ｉ３が表示される。報知画像Ｉ４，Ｉ３に示されるメッセージは、上記同様、ＴＯＤＯデータの内容に基づいて制御部１１の制御により定められる。また、通話画面Ｐｔ４においても、図９（ａ）に示したものと同様に、報知画像Ｉ４，Ｉ３が表示されている。また、制御部１１は、カーソルｃにより報知画像が指定されると、報知画像に応じた確認画面を表示する。
【００３４】
以上の構成により、移動通信端末１０がアドレス帳データ１１１に情報が登録された通信相手の端末と音声通信をしようとする場合、又は音声通信をした場合には、制御部１１は、その端末を用いる通信相手に関するＴＯＤＯデータをＴＯＤＯリストデータ１１２から検索する。そして、制御部１１は、該当するＴＯＤＯデータがある場合には、その内容を報知するための報知画像を配置した通話画面を、表示部１３に表示させる。
【００３５】
［Ｂ−２−３：データ通信時（送信時）の表示処理］
図１０は、データ通信におけるデータの送信時に、移動通信端末１０が実行する表示処理の手順を示すフローチャートである。ここでは、移動通信端末１０が送信するデータが電子メールである場合について説明する。
制御部１１は、アドレス帳データ１１１を利用して、電子メールの送信先の電子メールアドレスを指定するための操作部１４の操作を受け付けるまで待機する（ステップＳＣ１；ＮＯ）。制御部１１は、電子メールアドレスを指定するための操作を受け付けたと判断すると（ステップＳＣ１；ＹＥＳ）、ステップＳＣ２の処理に進む。次に、制御部１１は、指定された電子メールアドレスに対応付けられた通信相手の名称を、アドレス帳データ１１１から検索し、電子メールの送信先である通信相手の端末を特定する（ステップＳＣ２）。これにより、制御部１１は通信を行う端末を識別する。なお、ユーザにより電子メールアドレスが指定される時期には、例えば電子メールの作成が完了した後や、その電子メールの作成中や作成前もあり得るが、その時期については問わない。
【００３６】
そして、制御部１１は、ステップＳＣ２で特定した通信相手の端末に応じて、ＴＯＤＯリストデータ１１２に記述されたＴＯＤＯデータを特定する（ステップＳＣ３）。ここでは、通信相手として「山田一郎」が指定されたものとし、制御部１１は、「通信時に表示」のフィールドに「山田一郎」という名称が記述されたＩＤを、ＴＯＤＯリストデータ１１２から検索して特定する。制御部１１は、ステップＳＣ３でＴＯＤＯデータを特定すると、その送信先に電子メールを送信するためのデータ通信を行う（ステップＳＣ４）。そして、制御部１１は、送信完了した電子メールを表示する表示画面（送信画面）に、報知画像を配置して表示部１３に表示させる（ステップＳＣ５）。
【００３７】
図１１は、ステップＳＣ５の処理により表示部１３に表示される送信画面ＰＳを示す図である。
図１１に示すように、送信画面ＰＳには、「送信トレイ」というメッセージとともに、送信日時である「2009/07/07 16:58」、送信先の端末の通信相手の名称として「山田一郎」、電子メールのタイトルが配置される。その下側の領域に電子メールの本文が配置される。そして、本文のさらに下方側の領域に、報知画像Ｉ１〜Ｉ３が配置される。送信画面ＰＳに配置される報知画像Ｉ１〜Ｉ３は、図７に示したものと同じであるから、その説明を省略する。
【００３８】
［Ｂ−２−４：データ通信時（受信時）の表示処理］
図１２は、データ通信においてデータの受信時に、移動通信端末１０が実行する表示処理の手順を示すフローチャートである。ここでは、移動通信端末１０が送信するデータが電子メールである場合について説明する。
制御部１１は、電子メールを受信したと判断すると（ステップＳＤ１；ＹＥＳ）、アドレス帳データ１１１において、その送信元の電子メールアドレスに対応付けられた通信相手の名称を特定し、通信相手の端末を特定する（ステップＳＤ２）。外部端末から送信されてくる電子メールには、送信元の電子メールアドレスが含まれているから、制御部１１は、この電子メールアドレスと同じものをアドレス帳データ１１１から検索する。該当する電子メールやドレスが登録されていれば、制御部１１は、その電子メールアドレスに対応付けられた通信相手の名称を特定して、通信相手の端末を識別する。
【００３９】
次に、制御部１１は、ステップＳＤ２で特定した端末に応じて、ＴＯＤＯリストデータ１１２に記述されたＴＯＤＯデータを特定する（ステップＳＤ３）。ここでは、通信相手が「田中二郎」であるものとし、制御部１１は、「通信時に表示」のフィールドに「田中二郎」が記述されたＩＤをＴＯＤＯリストデータ１１２から特定する。そして、制御部１１は、ステップＳＤ３でＴＯＤＯデータを特定すると、受信完了した電子メールを表示する表示画面（受信画面）に、報知画像を配置して表示部１３に表示させる（ステップＳＤ４）。
【００４０】
図１３は、受信画面の一例を示す図である。
図１３に示すように、受信画面ＰＲには、「受信トレイ」というメッセージとともに、その受信日時、送信元である通信相手の名称及びタイトルが示されている。また、その下側の領域には電子メールの本文が配置され、さらに下側の領域には報知画像Ｉ４，Ｉ３が配置されている。受信画面ＰＲに配置される報知画像Ｉ４，Ｉ３は、図９に示したものと同じであるから、その説明を省略する。
【００４１】
以上の構成により、移動通信端末１０がアドレス帳データ１１１に情報が登録された通信相手の端末とデータ通信をしようとする場合、又はデータ通信をした場合には、制御部１１は、その端末を用いる通信相手に関するＴＯＤＯデータをＴＯＤＯリストデータ１１２から検索する。そして、制御部１１は、該当するＴＯＤＯデータがある場合に、その内容を報知するための報知画像を配置した表示画面を、表示部１３に表示させる。
移動通信端末１０のＴＯＤＯリストデータの表示処理に係る説明は以上のとおりである。
【００４２】
以上説明した実施形態によれば、移動通信端末１０は、外部端末との通信を契機として、その通信相手のＴＯＤＯデータに応じた内容を報知する。すなわち、移動通信端末１０は、通信を契機として、その通信相手に関する内容をリマインドする機能を有している。これにより、ユーザは、通信相手に関係する予定など、ユーザがその通信相手に関してするべき行為を、その通信相手の端末との通信を契機として確認することができる。よって、ユーザが、予めＴＯＤＯリストデータ１１２に登録しておいた内容を忘れていた場合であっても、そのことを思い出して、音声通信を利用して話し合ったりすることができる。
また、移動通信端末１０によると、通信相手の名前や端末の電話番号など、単に通信相手を識別することを目的とした情報とは異なり、通信相手に関して別の情報が表示されるので通信相手に関する情報をその通信相手とのコミュニケーションに寄与させることができる。
【００４３】
［Ｃ：変形例］
本発明は、上述した実施形態と異なる形態で実施することが可能である。本発明は、例えば、以下のような形態で実施することも可能である。また、以下に示す変形例は、各々を適宜に組み合わせてもよい。
【００４４】
［Ｃ−１：変形例１］
上述した実施形態においては、制御部１１は、電子メールの送信を完了後の送信画面に報知画像を表示していたが、これに限らず、その作成中（編集中）などの、送信先の電子メールアドレスが指定された後のどの時点で報知画像を表示してもよい。つまり、データ通信にあっては、移動通信端末１０は、通信相手の端末を特定してから（つまり、ステップＳＣ２の処理の後）のどの時点で報知画像を表示してもよい。また、移動通信端末１０がデータを受信する場合についても、通信相手の端末からのデータが受信された後（つまり、ステップＳＤ１；ＹＥＳの処理の後）のどの時点で報知画像を表示してもよい。例えば、ユーザが、送受信した電子メールの表示を指示するなどの所定の操作を操作部１４に行った時点でもよい。すなわち、制御部１１は、音声通信の通信相手を特定可能になった後のいずれかの時点で、報知情報の内容を報知すればよい。
【００４５】
また、移動通信端末１０は、例えば、音声通信の呼び出し中、又は通話中の一方の通話画面においてのみ報知画像から確認画面に遷移するよう構成されていてもよいし、通話中においてのみ報知画像を表示する構成であってもよい。音声通信にあっては、移動通信端末１０は、音声通信において呼び出す端末を特定してから（つまり、ステップＳＡ２の処理の後）、その音声通信が終了するまでの期間中のいずれかの時点において、報知画像を表示すればよい。同様に、移動通信端末１０は、外部端末に呼び出されたときから-（つまり、ステップＳＢ１；ＹＥＳの処理の後）、その端末との音声通信が終了するまでの期間中のいずれかの時点において、報知画像を表示すればよい。また、ユーザが発信履歴や着信履歴の表示を指示するなどの所定の操作を操作部１４に行ったときに、制御部１１は報知画像を表示してもよい。すなわち、移動通信端末１０は、データ通信の通信相手を特定可能になった後のいずれかの時点で、報知情報の内容を報知すればよい。
【００４６】
［Ｃ−２：変形例２］
上述した実施形態の移動通信端末１０では、ＴＯＤＯデータの新規登録処理において、「この人との連絡時に表示」のテキストボックスに、アドレス帳データ１１１を利用して通信相手の名称を入力していた。これに対し、ユーザが操作部１４を操作して、直接的に文字を入力すること（いわゆる、フリーワードの入力）により通信相手の名称が入力されてもよい。例えば、ユーザの操作部１４の操作により、「山田一郎」という文字がテキストボックスｔ４に入力されたとする。この場合、制御部１１は、テキストボックスｔ４に記入された名称を示す文字コードを、ＴＯＤＯリストデータ１１２の「名称」のフィールドに記述して、上記新規登録処理を行えばよい。なお、移動通信端末１０より実行される表示処理おいて通信相手の特定に係る構成は、実施形態のものと同じでよい。
【００４７】
［Ｃ−３：変形例３］
上述した実施形態の移動通信端末１０では、新規登録画面の「この人との連絡時に表示」のテキストボックスに通信相手の名称を入力していたが、この入力がない新規登録処理が行われてもよい。この構成において、例えば、制御部１１は、ＴＯＤＯデータの「タイトル」や「詳細」に関する情報から、どの通信相手の端末との通信時に報知画像を表示するかを特定する。
例えば、タイトルに「鈴木三郎くんの誕生日の準備」と記述され、詳細に「山田一郎くんとプレゼントを買いに行く！」と記述されているとする。この場合、制御部１１は、これらの記述内容を解析して、アドレス帳データ１１１に記述された通信相手の名称と一致する、「鈴木三郎」及び「山田二郎」を抽出する。そして、制御部１１は、抽出した名称をＴＯＤＯリストデータ１１２の「通信時に表示」のフィールドに記述して、上記新規登録処理を行う。以上のように、制御部１１は、抽出手段として機能する。
このように、移動通信端末１０は、ＴＯＤＯデータそのものに通信相手を識別する識別情報が含まれている場合には、そこからその識別情報を抽出して、ＴＯＤＯリストデータ１１２に記述するようにしてもよい。
【００４８】
この構成において、ユーザが「タイトル」や「詳細」のフィールドに通信相手の氏名（フルネーム）を記入しないことも考えられる。この場合、制御部１１は、「山田」、「鈴木」のように、苗字のみを対象として通信相手の名称を抽出してもよい。
また、ＴＯＤＯデータの「タイトル」や「詳細」には、「やまだ」など片仮名や平仮名を用いた読み仮名を入力されることがあるから、制御部１１は、アドレス帳データ１１１の「名称」のフィールドに記述された内容の読みと一致する名称を抽出するようにしてもよい。また、移動通信端末１０は、「いちろう」や「イチロー」など、ニックネームと推定されるものを、通信相手の名称として（ここでは、「山田一郎」）抽出してもよい。この構成において、移動通信端末１０は、人物の名称と、その名称のニックネームとして推定されるものとの対応関係を示すデータをＲＯＭ１１ｂに記憶しておき、この対応関係に従ってニックネームを抽出すればよい。
この変形例の構成によれば、ユーザが意識的に通信相手を識別する情報を入力しなくてもよく、通信時のリマインドに関して、通信相手の設定に関してユーザに強いられる負担はさらに小さくなる。
【００４９】
［Ｃ−４：変形例４］
上述した実施形態において、移動通信端末１０は、ＴＯＤＯリストデータ１１２の内容に応じた報知画像を表示していたが、これ以外の情報の内容を報知してもよい。
例えば、移動通信端末１０がユーザのスケジュールを管理するスケジュール機能を有していれば、そのスケジュールの内容を表示してもよい。このスケジュールを表すスケジュール情報は、移動通信端末１０を利用するユーザの行動予定などを示す情報であり、例えば、時刻又は時間帯と、行動予定とが対応付けられた情報を有している。この行動予定には、例えば同行者を登録することがあるから、この同行者を上述の「通信時に表示」に係る情報としてＴＯＤＯリストデータ１１２に記述しておけば、移動通信端末１０は、スケジュール機能を利用して、通信相手に関する情報を報知することができる。
【００５０】
また、移動通信端末１０が、ユーザにより入力された文字情報をＥＥＰＲＯＭ１１ｄに記憶しておき必要に応じてその内容を表示する、いわゆるメモ機能を有していれば、このメモ機能を利用して登録された内容を報知してもよい。この場合、移動通信端末１０は、例えば「鈴木に１０００円返す。」といった情報の入力を受け付けることになる。この場合、変形例３の構成と同様にして、制御部１１は、「鈴木」を通信相手の名称として抽出し、「鈴木に１０００円返す。」という情報を報知の対象とする報知情報として記憶する。このメモ機能を利用して入力されるデータは、ユーザがするべきことを表すという性質のものでないこともあり得るが、上述した実施形態と同様の実施が可能となる。以上のことから、本発明の報知情報は、端末を用いて通信を行う通信相手を識別する内容でない文字情報であって、その通信相手に関する内容を文字で表した文字情報を少なくとも含むものであれば、その内容については問わない。
【００５１】
［Ｃ−５：変形例５］
上述した実施形態では、移動通信端末１０は、アドレス帳データ１１１とＴＯＤＯリストデータ１１２とを用いて報知画像の表示処理を行っていたが、アドレス帳機能（アドレス帳データ１１１）を利用しないように構成することもできる。
例えば、メールアドレスには、自身の苗字や名前を使用することがある。山田一郎であれば、「＠」の前に「yamada」と入れたり、鈴木三郎であれば、「＠」の前に「saburo」と入れる、という具合である。この変形例では、制御部１１は、電子メールアドレスから通信相手の名称を推定する。
制御部１１は、例えば電子メールアドレスとして「yamada@xxx.jp」が含まれる電子メールを受信したとする。この場合、制御部１１は、そのＩＤ部分（yamada）の読みを「やまだ」と特定する。そして、制御部１１は、ＴＯＤＯリストデータ１１２の「通信時に表示」のフィールドに「やまだ」と読むことのできる名称が記述されたＩＤを特定して、そのＴＯＤＯデータに応じた内容を報知する。この処理は、電子メールの送信時にも同様にして実施可能である。
【００５２】
［Ｃ−６：変形例６］
移動通信端末１０が複数の報知画像を並べて表示する場合には、ＴＯＤＯリストデータ１１２に記述された「期限」のフィールドの情報に応じて、その表示態様を異ならせてもよい。例えば、制御部１１は、期限切れのＴＯＤＯデータに対応する報知画像を上位に優先して表示させる。次に期限が本日までのＴＯＤＯデータを上位にし、その次に、期限が未来であり、且つ現在日時から近いものを上位にし、その次に、期限なしのＴＯＤＯデータを続ける、という具合に、制御部１１は報知画像を配置してもよい。このようにすれば、期限が過ぎていたり、近いものをユーザに分かりやすくすることができる。また、制御部１１は、期限が或る程度近づいてきたら報知画像を点滅させたり、光らせるなどの装飾を施すことで、表示の態様を異ならせてもよい。また、制御部１１は、期限が切れたものについては表示しないようにしてもよい。
【００５３】
［Ｃ−７：変形例７］
移動通信端末１０において、ＴＯＤＯリストデータには、ＴＯＤＯデータの種別がさらに記述されていてもよい。例えば、ＴＯＤＯデータに「プライベート」、「誕生日」、「記念日」などというデータの種類が設定可能に構成されているとする。この場合、「期限」には、誕生日や記念日の日付、プライベートの予定の日が入力される。この構成において、制御部１１は、ＴＯＤＯデータの種別が「誕生日」であれば、その通信相手の誕生日前の１週間（７日）のみに、「○月△日は山田さんの誕生日」というメッセージが付された報知画像を表示し、それ以外の期間は表示しない。また、「記念日」であれば、その通信相手の記念日前後の（±３日）のみに報知画像を表示し、それ以外の期間はこれを表示しない。一方、「プライベート」については、その日の５日前から当日までのみに報知画像を表示し、それ以外の期間は表示しない。このように、制御部１１は、ＴＯＤＯデータにその行為の種別を対応付けてＴＯＤＯリストデータ１１２に記述しておき、その種別に応じて決められた表示期間に、報知画像を表示させてもよい。
【００５４】
［Ｃ−８：変形例８］
上述した実施形態では、移動通信端末１０はアドレス帳データ１１１の「名称」のフィールドに記述された内容により、通信相手を特定していたが、これに代えて、電話番号や電子メールアドレスである文字列を、通信相手を識別する識別情報として用いてもよい。また、移動通信端末１０は、通信相手毎にＩＤを割り当ててアドレス帳データ１１１に記憶しておき、このＩＤを用いて通信相手を識別してもよい。このように、アドレス帳データ１１１の「名称」以外の情報を通信相手の識別情報として用いる場合、移動通信端末１０は、ＴＯＤＯリストデータ１１２の「通信時に表示」のフィールドにはその識別情報を記述しておき、通信相手に応じたリマインドを行えるようにする。
また、データ通信は電子メールに限らず、通信相手を指定してデータを送受信するデータ通信であればよい。つまり、データの内容や通信方式については特に問わない。
【００５５】
［Ｃ−９：変形例９］
また、移動通信端末１０のＴＯＤＯデータの取得の態様は、ユーザによる入力に限らない。例えば、制御部１１は、無線通信部１２によってＴＯＤＯデータを受信したり、また、過般型の記憶媒体からＴＯＤＯデータを読み出したりしてＴＯＤＯデータを取得し、それに基づいてＴＯＤＯリストデータ１１２にＴＯＤＯデータを追加するようにしてもよい。
また、移動通信端末１０の制御部１１は、無線通信部１２によって受信された電子メールなどの情報に含まれる文字情報や、無線通信部１２によって送信される情報に含まれる文字情報を、ＴＯＤＯデータとしてＴＯＤＯリストデータ１１２に記述してもよい。例えば、以下のような態様がある。
制御部１１は、送受信の対象となる情報の内容を解析し、アドレス帳データ１１１に記述された通信相手の名称と一致する名称を抽出する。そして、制御部１１は、抽出した名称をＴＯＤＯリストデータ１１２の「通信時に表示」のフィールドに記述し、それ以外の情報を報知の対象とするよう、「タイトル」や「詳細」のフィールドに記述する。例えば、電子メールであれば、制御部１１は、タイトルをＴＯＤＯデータの「タイトル」に対応させ、本文をＴＯＤＯデータの「詳細」に対応させて、ＴＯＤＯリストデータ１１２に記述する。
【００５６】
［Ｃ−１０：変形例１０］
上述した実施形態において、一般的なアドレス帳機能が備えている、いわゆるグループ機能を利用して、移動通信端末１０はＴＯＤＯデータの内容を表示してもよい。この場合、移動通信端末１０は、アドレス帳データ１１１において、例えば「テニスサークル」というグループに対応付けて、複数の通信相手に関する情報を記憶する。そして、新規登録処理では、移動通信端末１０は、「テニスサークル」というグループの名称を、新規登録画面の「この人との連絡時に表示」のテキストボックスに入力させ、ＴＯＤＯリストデータ１１２の「通信時に表示」のフィールドに、そのグループの名称を記述する。そして、通信時においては、制御部１１は、アドレス帳データ１１１とＴＯＤＯリストデータ１１２とに基づき、このグループに属するメンバーが利用するどの端末と通信したときにも、そのＴＯＤＯデータの内容を表示させるようにする。
つまり、通信相手を識別する情報は、アドレス帳データ１１１に端末の連絡先が記述された通信相手と、一対一の関係になっている場合に限定されない。
【００５７】
［Ｃ−１１：変形例１１］
上述した実施形態において、本発明に係る情報処理装置に相当するものは、制御部１１であるとみなすこともできるし、移動通信端末１０であるとみなすこともできる。
また、本発明における操作に相当するものは、キーの押下によらず、例えば、音声による指示を認識した結果であってもよい。
また、移動通信端末１０はＴＯＤＯデータに応じた内容を画像の表示により報知していたが、例えば音声などの別の報知態様で報知してもよい。また、報知する情報には、通信相手を識別する「通信時に表示」のフィールドに記述される情報が含まれていてよいし、含まれていなくてもよい。
また、上述した実施形態は、本発明を携帯電話機に適用したものであるが、本発明は、その他の電子機器に適用することも可能である。本発明は、ＰＤＡ（Personal Digital Assistance）等の通信端末装置や、カメラ、携帯音楽プレーヤ、携帯ゲーム機など、種々の情報処理装置に適用することができる。この場合に、各種画像を表示するモニタなどの表示手段が外部構成としても本発明を特定し得る。また、音声通信及びデータ通信の両方を行うことのできる端末に限らず、いずれか一方のみの実行が可能なものでもよい。また、情報処理装置は、外部端末と通信する機能を有し、その外部端末との通信を契機として、通信相手に応じたリマインドを行えればよい。
さらに、上述した移動通信端末１０の制御部１１が実現する各機能は、複数のプログラムの組み合わせによって実現され、又は、複数のハードウェア資源の協働によって実現され得る。
【符号の説明】
【００５８】
１０…移動通信端末、１１…制御部、１２…無線通信部、１２ａ…アンテナ、１３…表示部、１４…操作部、１５…音声入出力部
【図１】
2011082607.tif 000003
【図２】
2011082607.tif 000004
【図３】
2011082607.tif 000005
【図４】
2011082607.tif 000006
【図５】
2011082607.tif 000007
【図６】
2011082607.tif 000008
【図７】
2011082607.tif 000009
【図８】
2011082607.tif 000010
【図９】
2011082607.tif 000011
【図１０】
2011082607.tif 000012
【図１１】
2011082607.tif 000013
【図１２】
2011082607.tif 000014
【図１３】
2011082607.tif 000015